(57)【要約】【課題】プリーツ形フィルタ要素を有したフィルタが異臭やダニの温床とならないようにできる電気掃除機を提供することにある。【解決手段】移動される除塵子19d,19eを有した塵落し具19で除塵されるプリーツ形フィルタ要素47が取付けられた合成樹脂製のフィルタ枠体46が、枠部51と、この枠部51の内側に一体に形成された不通気板部52と、この不通気板部52に開けられた開口54とを有する。開口54及びフィルタ要素47の夫々を、塵落し具19の除塵子19d,19eの回転軌跡（移動軌跡）A,Bによって規定される除塵領域47eより一回り大きな形状として、フィルタ要素47の周囲に不通気板部52を連続して設ける。塵落しによりフィルタ要素47から落された塵を、不通気板部52の表面に沿って滑落させることにより、フィルタ要素47の表面に塵が留まって固化することを抑制するようにしたことを特徴としている。【選択図】      図５
2005185569.tif 000002
【特許請求の範囲】
【請求項１】
複数の襞状部を有したプリーツ形フィルタ要素、及びこのフィルタ要素が取付けられたフィルタ枠体を備えて、電動送風機の運転により形成される気流中に配置され前記気流中の塵をろ過して分離するフィルタと、前記襞状部と交差しながら前記フィルタに沿って移動される除塵子を有して前記フィルタ要素の除塵をする塵落し具とを具備した電気掃除機において、
前記フィルタ枠体が、枠部と、この枠部の内側に形成された不通気板部と、この不通気板部に開けられた開口とを有しており、
前記開口及び前記フィルタ要素の夫々が前記除塵子の移動軌跡によって規定される除塵領域より一回り大きな形状をなしていて、前記フィルタ要素の周囲に前記不通気板部が連続して設けられている電気掃除機。
【請求項２】
複数の襞状部を有したプリーツ形フィルタ要素、及びこのフィルタ要素が取付けられたフィルタ枠体を備えて、電動送風機の運転により形成される気流中に配置され前記気流中の塵をろ過して分離するフィルタと、前記襞状部と交差しながら前記フィルタに沿って移動される除塵子を有して前記フィルタ要素の除塵をする塵落し具とを具備した電気掃除機において、
前記フィルタ枠体が、枠部と、この枠部の内側に形成された不通気板部と、この不通気板部に開けられた開口とを有しており、
前記開口及び前記フィルタ要素の夫々が前記除塵子の移動軌跡によって規定される除塵領域より大きく、かつ、前記除塵領域と略相似形状をなしていて、前記フィルタ要素の周囲に前記不通気板部が連続して設けられている電気掃除機。
【請求項３】
請求項１又は２に記載の電気掃除機において、前記電動送風機の上流側に配置される集塵ケースを備え、この集塵ケースに前記フィルタを着脱可能に取付けるとともに、前記フィルタ要素を前記不通気板部の上方寄りにずれて配置して、前記フィルタ要素の下方に連なる前記不通気板部の下部領域を前記フィルタ要素の上方に連なる前記不通気板部の上部領域より広くした。
【発明の詳細な説明】
【技術分野】
【０００１】
本発明は、プリーツ形フィルタ要素を有して、電動送風機の運転により形成される気流中の塵をろ過して分離するフィルタ、及びこのフィルタの除塵をする塵落し具を備えた電気掃除機に関する。
【背景技術】
【０００２】
従来、電動送風機が内蔵された本体ケースに集塵ケースを着脱可能に取付け、この集塵ケースにフィルタを取付け、このフィルタが有したプリーツ形フィルタ要素を除塵する塵落し具を本体ケースに設けた電気掃除機が知られている（例えば、特許文献１参照。）。
【０００３】
この特許文献１に記載の塵落し具は回転式のものである。この塵落し具は、電源コードの巻き取り及び繰出しの都度回転するコードリールに連動して回転される。塵落し具の回転に伴って、この塵落し具が有した除塵子が、プリーツ形フィルタ要素に捕捉されている塵を掻き落とすようになっている。
【特許文献１】実願昭５３−１６２０２８号（実開昭５５−７８０５０号）のマイクロフィルム（明細書第５頁第６行〜第１７行、第６頁第５行〜第１１行、第１図及び第２図）
【発明の開示】
【発明が解決しようとする課題】
【０００４】
一般に集塵ケースの軸方向と直交する方向の断面は非円形であり、この断面形状に対応してフィルタの外形が作られていて、この外形に応じた非円形形状にプリーツ形フィルタ要素も作られている。これに対して、塵落し時に、コードリールに連動して回転される塵落し具の除塵子は、プリーツ形フィルタ要素の裏面の襞状部と交差しながら円形の回転軌跡を描いて回転され、これにより、襞状部を振動させて除塵が行われる。
【０００５】
このように除塵子が描く円形の回転軌跡と、この軌跡より大形な非円形状のプリーツ形フィルタ要素との組合せでは、プリーツ形フィルタ要素が前記回転軌跡の外側に塵をろ過する領域を大きく有している。
【０００６】
この回転軌跡の外側領域に対しても除塵子による振動の影響は波及する。しかし、プリーツ形フィルタ要素の周部は固定されていて振動が抑制されているとともに、前記回転軌跡の内側領域からの隔たりが大きくなる程振動は減衰するので、前記振動を前記外側領域の全域にわたり充分に波及させて、前記外側領域の全域にわたり充分な塵落しをすることは難しい。又、フィルタ要素が非円形であるのに対し、除塵子の回転軌跡は円形であるから、前記外側領域に均一に除塵作用を与えることは困難である。このため、塵落し後であっても、前記外側領域の表面（上流側の面）の一部には塵が捕捉されたままの状態になっていることがある。
【０００７】
この状態で、例えば数日間以上使用されずに電気掃除機が放置されると、既述のように除塵仕切れずにプリーツ形フィルタ要素の表面に留まっている塵が湿気を吸って固まることがある。こうした状況に至ると、固まった塵が異臭や家ダニの温床となる恐れがある。又、プリーツ形フィルタ要素の表面は微細な凹凸が無数にあるので、その表面に固化した塵を除去する作業は、手間が掛かり面倒であり、その改善が求められている。
【０００８】
本発明の目的は、プリーツ形フィルタ要素を有したフィルタが異臭やダニの温床とならないようにできる電気掃除機を提供することにある。
【課題を解決するための手段】
【０００９】
前記課題を解決するために、本発明は、移動される除塵子を有した塵落し具で除塵されるプリーツ形フィルタ要素が取付けられた合成樹脂製のフィルタ枠体が、枠部と、この枠部の内側に形成された不通気板部と、この不通気板部に開けられた開口とを有し、開口及びフィルタ要素の夫々を、除塵子の移動軌跡によって規定される除塵領域より一回り大きな形状とするとともに、フィルタ要素の周囲に不通気板部を連続して設けたものである。
【発明の効果】
【００１０】
本発明によれば、プリーツ形フィルタ要素を有したフィルタが分離した塵の固化が抑制されるので、フィルタが異臭やダニの温床とならない電気掃除機を提供できる。
【発明を実施するための最良の形態】
【００１１】
図１〜図５を参照して本発明の一実施形態を説明する。
【００１２】
図１中符号１で示す電気掃除機が備える掃除機本体２には、可撓性の吸塵ホース３の一端部３ａが着脱可能に接続されている。吸塵ホース３は他端部に手元操作部４を備えている。手元操作部４には伸縮可能な延長管５が着脱可能に接続され、延長管５の先端部には吸込み口体６が着脱可能に接続される。手元操作部４はハンドル４ａを有し、このハンドル４ａには遠隔操作用の操作スイッチ４ｂが設けられている。図示の吸込み口体６は、床面の掃除に好適なものであって、その下面に幅方向に延びる吸込み開口（図示しない）を有している。
【００１３】
図１及び図２に示すように掃除機本体２は、本体ケース１０と、蓋体２０と、本体ケース１０に着脱自在に取付けられる集塵ケース（ダストカップ）３０とを備えている。蓋体２０はその後部が本体ケース１０の前部にヒンジ結合されて上下方向に開閉可能に設けられている。
【００１４】
本体ケース１０は、後側の電動部１１と前側の載置部１２とを備えている。図２に示すように電動部１１には電動送風機１３が内蔵されている。電動部１１の前面は開口され、この開口は電動送風機１３の吸気口１３Ａに連通している。載置部１２は、電動部１１の下部から前方へ一体に突出されていて、上方に開放する凹状をなす皿状に形成されている。この載置部１２には集塵ケース３０が着脱自在に載置される。蓋体２０が閉じられることによって、蓋体２０と載置部１２とが集塵ケース３０を挟持するようになっている。蓋体２０は、その前部に取付けられたパイプからなる吸込み口２１を有している。吸込み口２１は前後方向に延びており、これには吸塵ホース３の一端部３ａが着脱可能に接続される。
【００１５】
本体ケース１０の幅方向両側壁には、本体ケース１０の前側上部から後側下部にわたる斜状の膨出部１４（一方のみ図示）が夫々一体に形成され、これら膨出部１４の下端部に後輪１５が回転自在に取付けられている。両膨出部１４と本体ケース１０の両側壁の前側部分には複数の排気孔からなる排気部１６が設けられている。排気部１６は図示しない排気風路を介して電動送風機１３の排気口１３Ｂ（図２参照）と連通している。電動送風機１３の排気口１３Ｂから排気される空気は排気風路を介して排気部１６から外に排気される。
【００１６】
図２に示すように本体ケース１０の電動部１１には、電動送風機１３の下側に位置して商用交流電源の電力を電動送風機１３等に供給するコードリール１７が配置されている。更に、電動部１１には、後述のフィルタの除塵をする塵落し具１９が設けられている。
【００１７】
図４及び図５に示すように塵落し具１９は、中心部に位置する接続筒部１９ａと、この接続筒部１９ａを中心として放射状に設けられた複数のアーム１９ｂと、各アーム１９ｂにわたって一体に設けられた環状ギヤ部１９ｃと、直径方向に連続する２本のアーム１９ｂの夫々に突設された第１、第２の除塵子１９ｄ、１９ｅとを備えている。除塵子１９ｄ、１９ｅは、これに内蔵された図示しないコイルばねを有しているとともに、このばねの力で常に突出方向に付勢されて、この付勢力に抗して後退可能な可動先端部を有している。塵落し具１９の回転中心をなす接続筒部１９ａに対して、一方の除塵子１９ｄは近く配置され、他方の除塵子１９ｅは遠く配置されている。
【００１８】
接続筒部１９ａは本体ケースに設けた図示しない棒状の固定支えが有する水平な支持軸に回転自在に嵌め込まれている。これにより、塵落し具１９が、その除塵子１９ｄ、１９ｅを、前側つまり集塵ケース３０に向けた姿勢で、前記支持軸を中心として回転自在に支持されている。この塵落し具１９は、互いに隣接するアーム１９ｂ及び環状ギヤ部１９ｃ等により囲まれた通気開口を通して、電動送風機１３に吸込まれる空気を通過させることができる。
【００１９】
環状ギヤ部１９ｃにはコードリール１７の回転力が伝動装置１８（図２参照）を介して与えられる。したがって、コードリール１７に電源コード１７ａが出し入れる度に、コードリール１７の回転を駆動力として塵落し具１９が回転されるようになっている。
【００２０】
図２に示すように集塵ケース３０の側壁には、把手部３１が設けられているとともに、この把手部３１の上方に位置して吸気入口３２が設けられている。吸気入口３２は、集塵ケース３０が図２に示すように電動送風機１３の上流側に配置されたときに、蓋体２０の吸込み口２１の真後ろに連続して配置される。集塵ケース３０の内部は、下部の第１、第２の塵溜め部３３、３４と、主として塵溜め部３３の上方に区画された負圧空間３５とに、隔壁３６で区画されていて、隔壁３６には塵溜め部３３と負圧空間３５とを連通するネットフィルタ３７が取付けられている。
【００２１】
負圧空間３５には直進流慣性分離を行う塵分離部３８が設けられている。塵分離部３８は、中空でかつ両端が開口された円錐台状をなす風路形成体３９と案内筒部４０とを備えている。風路形成体３９はその上流側の大径な端部を吸気入口３２に連続させて設けられている。案内筒部４０は、その上流側端部を風路形成体３９の下流側の小径な端部に接続し、かつ、下流側端部を隔壁３６に接続して、第１塵溜め部３３と風路形成体３９内とを連通して設けられている。風路形成体３９はその周壁にネットフィルタ３９ａを有している。
【００２２】
電気掃除機１の使用時には負圧空間３５が電動送風機１３の吸込みにより負圧となっているので、吸気入口３２を軸線方向に通過して風路形成体３９内を流動する含塵空気の内で、ネットフィルタ３９ａを通過可能な軽く小さい塵は、空気の一部とともにネットフィルタ３９ａを通って負圧空間３５に流出する。この一方で、負圧空間３５に吸引仕切れなかった空気とともに、ある程度以上質量がある大きな塵は、その慣性力で風路形成体３９内を直進する。このようにして風路形成体３９において空気と塵との分離が行われ、空気と分離された塵は案内筒部４０を通って塵溜め部３３に導入される。
【００２３】
塵溜め部３３には、これに導入される空気を旋回させるためのガイド壁３３ａが設けられている。これにより、案内筒部４０から塵溜め部３３に導入された空気が、塵溜め部３３内で旋回流を作りながら最終的にネットフィルタ３７を通って負圧空間３５に吸込まれるので、旋回に伴う遠心分離作用により分離された塵が塵溜め部３３に溜められる。
【００２４】
集塵ケース３０の底面は開口されている。集塵ケース３０の底部には、その底面開口を開閉する底板４１が枢軸４２回りに回転可能に取付けられており、底板４１を開けることにより塵溜め部３３、３４内に溜められた塵を捨てることができる。底板４１の閉じ状態は、把手部３１に設けた操作釦の押し込みに連動する図示しない機構を介して解除されるようになっている。
【００２５】
集塵ケース３０はその軸線（掃除機本体１の前後方向に合致）と直交する方向の断面が非円形であって、この集塵ケース３０の例えば図２において右側に位置する後面の略全体は開口されている。この後面開口の形状は例えば縦に長い略四角状をなしている。集塵ケース３０にはその後面開口を閉じてフィルタ４５が着脱可能に取付けられている。図３〜図５に示すようにフィルタ４５は、フィルタ枠体４６と、この枠体４６の内側に装着されたフィルタ要素４７とを備えている。なお、図中符号４８は気密保持用の環状のシール材を示している。
【００２６】
フィルタ枠体４６は、硬質合成樹脂製であって、枠部５１と、不通気板部５２と、斜状部５３と、開口５４と、多数の要素支え５５、５６とを有している。
【００２７】
枠部５１は、集塵ケース３０の後面開口の形状に対応する外形形状を有して、この開口部の内側に着脱可能に嵌合される部分である。この枠部５１の外周にシール材４８が巻付けられている。なお、符号５１ａは枠部５１の外側に一体に突設された突部を示しており、この突部５１ａはフィルタ４５を集塵ケース３０から外す際等に手掛けとして使用される。
【００２８】
不通気板部５２は、枠部５１の内側に一体に形成されて、フィルタ４５のろ過面積を枠部５１の内側面積より小さく制限する平板状の遮風部であって、枠部５１の厚み方向に関して上流側表面よりも下流側に後退して設けられている。不通気板部５２の少なくとも上流側表面は好ましい例として凹凸や段差がない平滑な面をなしている。
【００２９】
斜状部５３も枠部５１の内側に一体に形成されている。この斜状部５３は、不通気板部５２の下端とこれより下側位置の枠部５１の下枠５１ｂとを一体に接続して、不通気板部５２の下端から下枠５１ｂに向かうに従い前下がりに傾斜している。
【００３０】
開口５４は不通気板部５２に開けられている。この開口５４を塞いでフィルタ要素４７が取付けられている。一群の要素支え５５は、いずれも突起状をなして開口５４の上部周りに前方に向けて一体に突設されている。一群の要素支え５５に対して上下方向に対向する他の一群の要素支え５６は、いずれも突起状をなして開口５４の下部周りに前方に向けて一体に突設されている。
【００３１】
前記フィルタ要素４７は、マット状のろ材を、ろ過面積を拡張するために波形形状に折り曲げたプリーツ形に形成されている。このフィルタ要素４７のメッシュはネットフィルタ３７、３９ａのメッシュより細かく、これら上流側のネットフィルタ３７、３９ａを通過した塵を下流側のフィルタ要素４７で捕捉する。
【００３２】
フィルタ要素４７は、その下流側に突出する襞状部間の各裏溝４７ａの上下両端部を、要素支え５５、５６に接着止めすることにより夫々気密に閉じるとともに支持されて、フィルタ枠体４６の上流側表面から開口５４を塞いで取付けられている。こうして取付けられたフィルタ要素４７の襞状部は上下方向に延びているとともに、上流側に突出する襞状部間の表溝４７ｂの上下両端は夫々開放されており、かつ、各表溝４７ｂの開放された下端は斜状部５３と対向している。
【００３３】
開口５４及びこれを塞いだフィルタ要素４７は不通気板部５２の上方寄りにずれて配置されている。これにより、開口５４の下部から不通気板部５２の下端（この不通気板部５２と斜状部５３との境界をなす折り曲げ部を指す。）までの領域、言い換えれば、フィルタ要素４７の下方に連なる不通気板部５２の下部領域５２ａを広く、これと相対的にフィルタ要素４７の上方に連なる不通気板部５２の上部領域５２ｂを狭くしている。
【００３４】
開口５４及びフィルタ要素４７は、塵落し具１９によるフィルタ要素４７の除塵領域４７ｅ（図５参照）より一回り大きな形状、好ましくは除塵領域４７ｅより大きくかつ略相似形状としてある。この場合、塵落し具１９が回転するものであるため、開口５４及びフィルタ要素４７は夫々円形に作られている。ここに、除塵領域４７ｅとは、塵落し具１９の除塵子１９ｄ、１９ｅの回転移動にしたがって充分な振動を生じる部分であって、除塵子１９ｄ、１９ｅの移動軌跡によって規定される領域を指している。具体的には図５中２点鎖線が除塵子１９ｄ、１９ｅの移動軌跡Ａ，Ｂをフィルタ要素４７に投影した線であって、フィルタ要素４７に対する除塵子１９ｄ、１９ｅの移動軌跡Ａ，Ｂに相当し、これら移動軌跡Ａ，Ｂで挟まれる領域が除塵領域４７ｅである。更に、開口５４及びフィルタ要素４７が除塵領域４７ｅより一回り大きな形状であるとは、除塵子１９ｄ、１９ｅの移動によって除塵領域４７ｅが所定の振動をするように設計的に定められる大きさである。
【００３５】
前記構成のフィルタ４５は、そのフィルタ要素４７の各表溝４７ｂを集塵ケース３０の負圧空間３５に臨ませて、集塵ケース３０の後面開口部に嵌め込まれる。この状態で、フィルタ４５は下流側の塵溜め部３４に載置されていて、その斜状部５３の上方空間が下方の塵溜め部３４に連通された状態にある。こうしてフィルタ４５が取付けられた集塵ケース３０が掃除機本体２にセットされた状態では、図２に示すようにフィルタ要素４７の真後ろに塵落し具１９が近接して、除塵子１９ｄ、１９ｅの可動先端部がフィルタ要素４７の下流側に突出する襞状部と接触することが可能となるように裏溝４７ａに入り込んでいる。
【００３６】
電気掃除機１の掃除動作中においては、既述のようにフィルタ４５より上流側に配置された塵分離部３８のネットフィルタ３９ａ及び隔壁３６のネットフィルタ３７を通過した空気中に含まれている塵は、負圧空間３５内の空気が電動送風機１３に吸込まれるに伴って、フィルタ４５のフィルタ要素４７でろ過されて、このフィルタ要素４７の主として表面に捕捉される。
【００３７】
電気掃除機１を使用する際又は格納する際など、電動送風機１３が運転されていない状態でコードリール１７が電源コード１７ａによって回転されると、それに連動する伝動装置１８を介して塵落し具１９が回転される。それに伴い、塵落し具１９の除塵子１９ｄ、１９ｅが、フィルタ要素４７の後向きに突出した襞状部と交差しながらフィルタ要素４７の後面（下流側の面）に沿って回転されるので、襞状部が除塵子１９ｄ、１９ｅで弾かれて振動する。この振動により、フィルタ要素４７の表面に付着している細かな塵が落下する。
【００３８】
この場合、フィルタ要素４７の大きさが、最大半径で回転する除塵子１９ｅの回転軌跡Ｂより一回り大きな相似形状をなしているため、既述のコードリール１７に連動する除塵による塵落し効果は、フィルタ要素４７の略全域にわたって十分に発揮され、フィルタ要素４７は塵落し効果が不充分な部分を有さない。
【００３９】
そして、このフィルタ要素４７の周囲には不通気板部５２が連続しているので、除塵によりフィルタ要素４７から落下した塵は、不通気板部５２の下部領域５２ａに沿って落ちる。この下部領域５２ａは略垂直であって、その表面が平滑であり、フィルタ要素４７に比較して遥かに摩擦抵抗が小さいので、下部領域５２ａの表面に塵が引っかかって留まることがない。更に、下部領域５２ａに沿って落ちた塵は斜状部５３の傾きにしたがって滑落して、斜状部５３の下方に連通している塵溜め部３４内に収容される。
【００４０】
このようにしてフィルタ要素４７から落下した塵が、フィルタ４５への残留を妨げられながら円滑に塵溜め部３４内に溜められる。これにより、フィルタ４５の表面に留まった塵を起点として、この後のフィルタ４５の塵落しに伴って落下する塵が塞き止められて上方に成長することを抑制できる。このため、電気掃除機１の使用間隔が数日以上長いことがあっても、フィルタ要素４７の表面を含めたフィルタ４５の表面で塵が湿気を吸って固まることがないので、フィルタ４５が異臭や家ダニの温床となる恐れがない。更に、既述のように落下する塵が塞き止められて上方に成長することがないので、この成長を原因としてフィルタ要素４７が目詰まりすることも抑制できる。
【００４１】
しかも、除塵に伴ってフィルタ要素４７から落下する塵が、何らかの原因で塞き止められて不通気板部５２の下部領域５２ａに留まることがあっても、既述のように平滑な下部領域５２ａへの塵の付着力は弱いので、仮にフィルタ要素４７の表面に固化した塵を除去する場合に比較して、下部領域５２ａの表面に留まって固化した塵を容易に除去できる。
【００４２】
その上、不通気板部５２の下部領域５２ａは、除塵された塵が落下しない上部領域５２ｂより広いので、フィルタ４５を取外した状態で、その下部領域５２ａに対する洗浄や拭き掃除等を容易にできる。又、フィルタ４５を取外した状態でフィルタ要素４７を掃除する場合に、この掃除の邪魔とならないようにフィルタ４５を持って支える部位として、広い下部領域５２ａを利用できるので、その場合の掃除もし易い。
【００４３】
更に、万が一、下部領域５２ａと斜状部５３との境（又は、斜状部５３を省略したフィルタ枠体４６とした場合にはこのフィルタ枠体４６の下枠５１ｂ）に塵が留まって、これを起点として落下する塵が上方に成長することがあって、フィルタ４５の掃除を放置し続けた場合にも、下部領域５２ａが広くなっているので、前記成長を原因としてフィルタ要素４７が目詰まりする時期を遅らせることができる。
【００４４】
本発明は前記一実施形態に制約されない。例えば、前記一実施形態では、フィルタ要素４７を接着剤により不通気板部５２に取付けたが、これに代えて、枠部５１、不通気板部５２、斜状部５３を、合成樹脂材料で成形する際に、その成形型内にフィルタ要素４７をセットしてインサート成形することにより、不通気板部５２にフィルタ要素４７を一体的に取付けてもよい。このようにした場合には、接着止めの手間を要しないので製造性を向上できるだけではなく、不通気板部５２とフィルタ要素４７との間の気密の信頼性を向上できる。
【００４５】
又、前記一実施形態では塵落し具を回転させたが、これに代えて、塵落し具をワイパーのように往復回動させてもよい。この場合にも、除塵領域は、塵落し具の回動中心に対する除塵子の移動軌跡によって規定されるものである。前記一実施形態では塵落し具の除塵子を点状としたが、これに代えて、除塵領域の幅に合わせた棒状とすることもできる。
【図面の簡単な説明】
【００４６】
【図１】本発明の一実施形態に係る電気掃除機を示す斜視図。
【図２】図１の電気掃除機の掃除機本体を一部断面して示す側面図。
【図３】図１の電気掃除機が備えるフィルタの正面図。
【図４】図１の電気掃除機が備えるフィルタを分解して塵落し具とともに正面側から見て示す斜視図。
【図５】図１の電気掃除機が備えるフィルタと塵落し具との関係を後面側から見て示す斜視図。
【符号の説明】
【００４７】
１…電気掃除機、２…掃除機本体、１３…電動送風機、１９…塵落し具、１９ａ…接続筒部（回転中心）、１９ｄ、１９ｅ…除塵子、３０…集塵ケース、４５…フィルタ、４６…フィルタ枠体、４７…フィルタ要素、４７ａ…裏溝、４７ｂ…表溝、４７ｅ…除塵領域、Ａ，Ｂ…回転軌跡（移動軌跡）、５１…枠部、５２…不通気板部、５２ａ…下部領域、５２ｂ…上部領域、５４…開口
【図１】
2005185569.tif 000003
【図２】
2005185569.tif 000004
【図３】
2005185569.tif 000005
【図４】
2005185569.tif 000006
【図５】
2005185569.tif 000007